(57)【特許請求の範囲】
【請求項１】
マルチセッションディスクに収納されている各プログラムトラックの開始位置に対応した、ディスク最内周位置から計測した再生開始時刻の情報を含む目次情報が記録されたリードイン領域、再生対象のコンテンツデータを収納したプログラムトラックが記録されたプログラム領域、および、リードアウト領域からなるセッションを複数設けたマルチセッションディスクを再生する再生装置であって、
所定のセッションの前記目次情報を読み出す光ピックアップと、
光ピックアップが読み出した前記目次情報に含まれる前記再生時刻の情報に基づいて、該所定のセッションのリードイン領域が、マルチセッションディスクの最初のセッションのリードイン領域であるか否かを判定するセッション判定部と
を備えた、再生装置。
【請求項２】
セッション判定部は、前記所定のセッションの最初のプログラムトラックの再生開始時刻が所定の値よりも小さい場合に、該所定のセッションのリードイン領域が、前記最初のセッションのリードイン領域であると判定する、請求項１に再生装置。
【請求項３】
セッション判定部は、前記所定のセッションの最初のプログラムトラックの再生開始時刻が所定の値よりも大きい場合に、該所定のセッションのリードイン領域が、前記最初のセッションのリードイン領域でないと判定する、請求項１に記載の再生装置。
【請求項４】
セッション判定部が、前記所定のセッションのリードイン領域が前記最初のセッションのリードイン領域でないと判定した場合に、光ピックアップを、ディスクのより内周に位置する別のセッションにアクセスさせるアクセスリトライ部をさらに備えた、請求項３に記載の再生装置。
【請求項５】
アクセスリトライ部によるアクセスの結果に基づいて、セッション判定部は、前記別のセッションのリードイン領域が、マルチセッションディスクの最初のセッションのリードイン領域であるか否かをさらに判定する、請求項４に記載の再生装置。
【請求項６】
光ピックアップがディスクの最内周位置に存在しているか否かを検出する最内周位置検出部をさらに含み、
アクセスリトライ部は、光ピックアップをディスクの内周方向に移動させ、最内周位置検出部による検出の結果、光ピックアップがディスクの最内周に位置していると判断すると、ディスクの最内周位置から所定の量だけ離れた前記別のセッションに、光ピックアップを移動させる、請求項４に記載の再生装置。
【請求項７】
アクセスリトライ部は、光ピックアップをディスクのより内周のセッションに反復して移動させる場合に、移動量を前記所定の量から徐々に少なくする、請求項６に記載の再生装置。
【発明の詳細な説明】
【０００１】
【発明の属する技術分野】
本発明は、情報が記録されたディスクの再生に関し、特にマルチセッションディスクの第１セッションリードインへアクセスする技術に関する。
【０００２】
【従来の技術】
従来、コンパクトディスク（以下、ＣＤという）は、音楽データを記録して販売されるのが一般的であった。しかし近年、音楽データの他に、コンピュータで読み取り可能なデータ（映像データ等）をも記録したＣＤ−ＥＸＴＲＡと呼ばれるマルチセッションのディスクも販売されるようになった。
【０００３】
また一般消費者が、所望のデータを記録可能な記録媒体であるＣＤ−Ｒ（Compact Disc Recordable；コンパクトディスク・レコーダブル）（以下、「ＣＤ−Ｒ」と称する）に記録する機会も多くなってきた。ＣＤ−Ｒには種々のフォーマットでデータを記録できる。記録可能なＣＤ−Ｒの主要フォーマットとしては、音楽ＣＤのフォーマットであるＣＤ−ＤＡ（Ｃｏｍｐａｃｔ  Ｄｉｓｃ−Ｄｉｇｉｔａｌ  Ａｕｄｉｏ）、データのフォーマットであるＣＤ−ＲＯＭ（Ｃｏｍｐａｃｔ  Ｄｉｓｃ  Ｒｅａｄ  Ｏｎｌｙ  Ｍｅｍｏｒｙ）等がある。ＣＤ−Ｒにデータを記録するシステムは、ＣＤ−Ｒシステムと称され、通常、パーソナルコンピュータにＣＤ−Ｒレコーダを設けて実現する。
【０００４】
初期のＣＤは主に音楽用ＣＤ−ＤＡフォーマットを採用し、シングルセッションのマルチトラック（single  session  multi track）方式により記録されていた。図６は、音楽用ＣＤ−ＤＡディスクを再生する従来のディスク再生装置６０のブロック図である。ディスクからデータを再生する再生部２は、再生のためのディスク１を装着することができ、装着されたディスク１のデータを再生するピックアップなどの機構部を備える。
【０００５】
再生部２からのデータ信号を信号処理部５で復調して、ＤＡ変換部１０でアナログ音楽信号に復元し、オーディオ信号増幅部１１で十分に大きな電気信号としてスピーカ１２から出力する。制御部４はディスク再生装置の全般的な動作を制御する。ディスク１には、目次情報としてのテーブルオブコンテンツ情報（以下、「ＴＯＣ情報」と称する）が記録されている。制御部４はディスク再生装置６０の全般的な動作を行うために、信号処理部５からサブコード検出部６を介してＴＯＣ情報を読み出し、ＴＯＣ情報記憶部７に記憶する。制御部４は、ディスク１の再生時にはこのＴＯＣ情報の中から再生すべきトラックの開始時刻情報を取り出して、その位置に光ピックアップを移動して音楽データ信号を読み出す。これらの動作は、制御部４が有するプログラムの処理に基づいて行われる。制御部４の動作は、いわゆるマイクロコンピュータを使用して実現され、ＴＯＣ情報記憶部７はいわゆるランダムアクセスメモリ（ＲＡＭ）である。
【０００６】
図７は、シングルセッションで記録したディスクのデータレイアウト例を示す。ディスクの領域は、リードイン領域ＬＩＮ，プログラム領域ＰＧＭ，リードアウト領域ＬＯＴに大別される。上述のＴＯＣ情報は、図７に示すように、シングルセッションで記録されたディスクの内周側のリードイン領域ＬＩＮに記録されている。
【０００７】
ディスク再生装置６０（図６）は、ディスク１から最初にＴＯＣ情報を読みとり、ディスク１に記録されたあるトラックに関する情報を、液晶表示装置等の表示部（図示せず）に表示してユーザーに演奏希望曲の選択を促す。従って、ディスク１をディスク再生装置６０に装着すると、ディスク再生装置６０はＴＯＣ情報を読み込むためにリードイン領域ＬＩＮにピックアップを移動させる動作を行う。
【０００８】
この動作を行うためには、ディスク再生装置６０が現在のピックアップ位置を認識していることが必要となる。以下、そのための動作を説明する。
【０００９】
図８は、従来のディスク再生装置６０用の高級メカニズムの構造を示す。図８の高級メカニズムでは、ディスク１（図示せず）が乗せられるターンテーブル（図示せず）を回転させるスピンドルモーター８１を一端として、光ピックアップトラバース８２がリニアモーターマグネット部８３とリニアモーターコイル部８５との電磁的作用で動くように構成されている。このメカニズムでは摺動子８７が光ピックアップトラバース８２と連結されており、光ピックアップトラバース８２が動けば、ポテンショメータ８６の摺動子８７も動く。よって光ピックアップトラバース８２の位置に対応した位置検出電圧が位置検出電圧出力端子８８から得られる。このようにポテンショメータを用いて常時ピックアップ位置を認識し、駆動用モーターとしてリニアモーターを採用して高速制御する方法を用いる再生装置も存在している。しかしながら、ポテンショメータやリニアモーターを採用するとコストが高くなるため、ディスク再生装置６０（図６）では、簡略化したメカニズムを採用している。すなわち廉価メカニズムである。例えば、図２は、廉価メカニズムの構造を示す。
【００１０】
廉価メカニズムでは、光ピックアップ２３の位置検出用に高価なポテンショメータは使用されていない。代わって廉価メカニズムでは、光ピックアップトラバース２２がディスク１のほぼ最内周部分に位置している場合にだけＯＮとなる安価な位置検出用のプッシュスイッチ（最内周位置検出スイッチ２０）を採用している。最内周位置検出スイッチ２０は、最内周位置検出部３（図６）として制御部４（図６）に接続される。また廉価メカニズムでは、高価なリニアモーターに代えて、安価な模型に使われるものと同型式の速度制御メカニズム無しのブラシ付きＤＣモーターをトラバースモーター２４として採用している。
【００１１】
ディスク１はターンテーブル２１に載置されスピンドルモーター２５で駆動される。光ピックアップ２３は光ピックアップトラバース２２に内蔵されている。トラバースモーター２４が回転するとトラバース送りギアシャフト２６が回転し、光ピックアップトラバース２２は、スライドシャフト２７にガイドされて、がたつきがほとんどない状態で移動する。
【００１２】
以下、廉価メカニズム（図２）を使用した構成のディスク再生装置６０（図６）が、市販の音楽用オーディオＣＤを再生する動作を説明する。音楽用オーディオＣＤは、ＣＤ−ＤＡをシングルセッションでアルミ蒸着記録したディスクである。廉価メカニズムでは、光ピックアップ２３の位置を常時認識できない。よって音楽用オーディオＣＤ（ＣＤ−ＤＡ）を装着した際、ディスク再生装置６０は、以下の図９および図１０に示す手順を実施する。
【００１３】
図９および図１０は、ディスク再生装置６０（図６）の動作を示すフローチャートである。図９を参照して、制御部４（図６）は、廉価メカニズムのトラバースモーター２４（図２）を駆動して、光ピックアップトラバース２２（図２）を内周方向に移動させる（ステップ２２）。これによりディスク１のほぼ最内周に光ピックアップトラバース２２（図２）を位置させることができる。光ピックアップ２３（図２）がディスクのほぼ最内周に位置すると、最内周位置検出スイッチ２０がＯＮとなり、それが検出される（ステップ２３）。すると制御部４（図６）は、トラバースモーター２４を停止させ（ステップ２４）、トラバースモーター２４の駆動時間を決めるタイマーを２４０ｍＳに設定する（ステップ２６）。
【００１４】
続いて図１０を参照して、次は逆方向（外周方向）にトラバースモーター２４を駆動する（ステップ２７）。そしてトラバースモーター２４の駆動時間を決めるタイマーの時間長Ｔ（本従来例の場合は２４０ｍＳ）が経過したか否かを判定し（ステップ２８）、経過していなければそのままトラバースモーター２４の駆動を続ける。経過した場合にはトラバースモーター２４を停止させる（ステップ２９）。これにより光ピックアップ２３を少なくともディスク１のリードインＬＩＮの開始位置よりも外周側位置に移動させることができる。
【００１５】
時間長Ｔは通常リードインＬＩＮの開始位置よりもかなり外周側位置、すなわちプログラム領域ＰＧＭに移動する値を選択して設計する。その理由は、以下に示す３つの原因により、フェールセーフの面でかなりの余裕を見込んだ長さにせざるを得ないためである。３つの原因とは、（１）最内周位置検出スイッチ２０のＯＮ位置が、ユニット本体２８への最内周位置検出スイッチ２０の取り付け誤差（ねじ止め位置の精度のずれ）や、最内周位置検出スイッチ２０の構造的な個体差により、微妙にばらついていること、（２）トラバースモーター２４として速度制御メカニズム無しのブラシ付きＤＣモーターを使用するので、供給電圧のばらつきやモーターの個体差により回転速度がばらつくこと、（３）また環境温度によって回転速度が速くなったり遅くなったりすることである。従来のディスク再生装置６０は、サブコード情報を参照して、常温にてリードインＬＩＮの終了点から約３分の位置に移動するよう、Ｔの長さをＴ＝２４０ｍＳに設定している。
【００１６】
光ピックアップ２３をサブコード情報が約３分の位置に移動すると、次にＴＯＣ情報を読み込むためにリードインＬＩＮにアクセスしなければならない。そこで再びサブコード情報を読み込んで（ステップ３０）、現在の位置がリードイン領域内か否かを判定する（ステップ３１）。現在はプログラム領域ＰＧＭ内に位置しており、リードイン領域でないので、ステップ３１のＮｏへ進む。そして内周方向に３２本のキック動作を行う（ステップ３２）。この処理を必要であれば何回か繰り返すことにより、リードイン領域ＬＩＮにアクセスできる。その後、サブコードによりリードイン領域ＬＩＮ内に到達したことを検出して、当該ＴＯＣ情報を読み込むことで（ステップ３３）、必要な情報がすべて読み込みできたか否かを判定する（ステップ３４）。判定の結果がＹＥＳとなればＴＯＣ情報の読み込みは完了し、以降の処理として、例えばディスクには全部で３曲が収納されていて全部を再生すると約５５分かかる、というＴＯＣ情報の一部が表示部（図示せず）に表示される。
【００１７】
その後、ユーザーがPLAYキー（図示せず）を押す等の再生操作を行うと、ＴＯＣ情報を参照して指定された曲の開始位置を取得し、その位置にアクセスして再生を開始する。
【００１８】
【発明が解決しようとする課題】
ディスク再生装置６０は、マルチセッションで記録されたディスクの再生に際し、第１セッションの収録データ容量が小さい場合、本来の再生対象でないデータを誤って再生してしまうことがあった。その理由は、第１セッションの収録データ容量が小さいことにより、第１セッションのＴＯＣ情報を読み込むためにアクセスしたにもかかわらず、第１セッションの収録部分を飛び越えて他のセッションのリードインに入ることがあったからである。その結果、当該他のセッションのＴＯＣ情報を読み込み記憶してしまうことになる。このような誤動作の根本的な原因は、市販されている音楽用オーディオＣＤは、多くがシングルセッションであってマルチセッションでないこと、および、ディスク再生装置６０がシングルセッションのディスクの再生しか考慮していないことにある。
【００１９】
以下図３を参照してより具体的に説明する。図３は、マルチセッションで記録したディスクのレイアウトを示す。マルチセッションはそれぞれのセッションがリードイン領域、プログラム領域、リードアウト領域からなり、このようなセッションが多数個ディスク１に記録されることをあらわす。図３にはマルチセッションのディスク１に記録されたＴＯＣ情報に含まれるデータの例も示している。マルチセッション（第２セッション以降）のリードイン領域は１分間、マルチセッションのリードアウト領域は３０秒間、第１セッションのリードアウト領域ＬＯＴ１は１分３０秒間と規格で定められている。従って、第１セッションのプログラム領域ＰＧＭ１が極端に短くて０秒間だとしても、第２セッションのプログラム領域ＰＧＭ２が開始する位置は少なくとも２分３０秒を過ぎた絶対アドレス位置であることが理解される。
【００２０】
以下、ディスク再生装置６０が、マルチセッションで記録したＣＤ−ＥＸＴＲＡと呼ばれるマルチセッションディスクを再生する動作を説明する。ＣＤ−ＥＸＴＲＡは、図３に示すデータ構造を有している。この説明では、第１セッションに２０秒の短いＣＤ−ＤＡ曲が記録され、第２セッションにＣＤ−ＲＯＭデータが記録されているとする。
【００２１】
このようなディスク１を装着すると、図９と図１０を参照して既に説明したように、まず光ピックアップ２３をディスク１の内周方向に移動し、ディスク１のほぼ最内周に光ピックアップ２３が位置すると、トラバースモーター２４を一旦停止させる。その後、外周方向に２４０ｍＳだけ駆動してサブコードが約３分の位置に光ピックアップ２３を移動する。次にＴＯＣ情報を読み込むために第１セッションのリードインＬＩＮ１にアクセスしようとする。
【００２２】
この例では、このディスクは第１セッションに２０秒の短いＣＤ−ＤＡ曲が記録され、第２セッションにＣＤ−ＲＯＭデータを記録しているので、サブコードが約３分の位置には第２セッションリードイン領域ＬＩＮ２が存在する。従って、既にディスク１の第２セッションリードインＬＩＮ２に光ピックアップ２３が位置しているので、ステップ３２での内周方向に３２本キック動作を実行することなく、そのままの状態でＴＯＣ情報を読み込む。ところが、読み込むのは第２セッションリードインＬＩＮ２のＴＯＣ情報である。よって表示装置（図示せず）には、ＴＯＣ情報の一部である第２セッションの情報（例えば総曲数１、総再生時間約５２分）が表示される。
【００２３】
ユーザーがPLAYキー（図示せず）を押す等の再生操作を行うと、ディスク再生装置６０は、記憶しているＴＯＣ情報を参照して再生を開始する。しかし、この場合には目的としている第１セッションの音楽（ＣＤ−ＤＡ）ではなく、第２セッションのＣＤ−ＲＯＭデータの再生が始まってしまう。
【００２４】
本発明の目的は、マルチセッションディスク上の第１セッションのリードイン領域を判定し、本来の再生対象とするデータを正確に再生することである。また本発明の別の目的は、第１セッション以外のセッションのリードイン領域に入り込んだ場合に、第１セッションのリードインへのアクセスをリトライすることである。
【００２５】
【課題を解決するための手段】
本発明の再生装置は、マルチセッションディスクに収納されている各プログラムトラックの開始位置に対応した、ディスク最内周位置から計測した再生開始時刻の情報を含む目次情報が記録されたリードイン領域、再生対象のコンテンツデータを収納したプログラムトラックが記録されたプログラム領域、および、リードアウト領域からなるセッションを複数設けたマルチセッションディスクを再生する再生装置であって、所定のセッションの前記目次情報を読み出す光ピックアップと、光ピックアップが読み出した前記目次情報に含まれる前記再生時刻の情報に基づいて、該所定のセッションのリードイン領域が、マルチセッションディスクの最初のセッションのリードイン領域であるか否かを判定するセッション判定部とを備えている。これにより上記目的が達成される。
【００２６】
セッション判定部は、前記所定のセッションの最初のプログラムトラックの再生開始時刻が所定の値よりも小さい場合に、該所定のセッションのリードイン領域が、前記最初のセッションのリードイン領域であると判定してもよい。
【００２７】
セッション判定部は、前記所定のセッションの最初のプログラムトラックの再生開始時刻が所定の値よりも大きい場合に、該所定のセッションのリードイン領域が、前記最初のセッションのリードイン領域でないと判定してもよい。
【００２８】
セッション判定部が、前記所定のセッションのリードイン領域が前記最初のセッションのリードイン領域でないと判定した場合に、光ピックアップを、ディスクのより内周に位置する別のセッションにアクセスさせるアクセスリトライ部をさらに備えていてもよい。
【００２９】
アクセスリトライ部によるアクセスの結果に基づいて、セッション判定部は、前記別のセッションのリードイン領域が、マルチセッションディスクの最初のセッションのリードイン領域であるか否かをさらに判定してもよい。
【００３０】
光ピックアップがディスクの最内周位置に存在しているか否かを検出する最内周位置検出部をさらに含み、アクセスリトライ部は、光ピックアップをディスクの内周方向に移動させ、最内周位置検出部による検出の結果、光ピックアップがディスクの最内周に位置していると判断すると、ディスクの最内周位置から所定の量だけ離れた前記別のセッションに、光ピックアップを移動させてもよい。
【００３１】
アクセスリトライ部は、光ピックアップをディスクのより内周のセッションに反復して移動させる場合に、移動量を前記所定の量から徐々に少なくしてもよい。
【００３２】
【発明の実施の形態】
以下、添付の図面を参照して、本発明の実施の形態を説明する。図面では、同一の機能を有する構成要素には同一の参照符号を付すものとする。
【００３３】
図１は、本実施の形態によるディスク再生装置１００のブロック図である。ディスク再生装置１００は、装填されたディスク１に記録されたデータを再生する。ディスク１は、複数のセッションが設けられたマルチセッションディスクである。ここでセッションとは、リードイン領域、プログラム領域、リードアウト領域の三つの記録領域から構成される記録の単位である。各セッションのプログラム領域には、コンテンツデータ（例えば、音楽、映像、および／またはコンピュータで利用するデータ）を収納したプログラムトラックが記録される。コンピュータで利用するデータには、音楽信号を圧縮したＭＰ３フォーマット等のＣＤ−ＲＯＭデータも含まれる。リードイン領域には、プログラム領域に記録されたデータ（プログラムトラック）の開始位置を特定するための、目次情報としてのテーブルオブコンテンツ情報（以下、「ＴＯＣ情報」と称する）が記録されている。データの開始位置は、ディスク最内周から、または、ある基準点から通常再生を行った場合の再生時刻の情報により特定される。一方、ディスク１には、ディスク最内周から再生したときの再生時刻を特定可能なサブコード情報が規則的に記録されている。ディスク再生装置１００は、サブコード情報を用いて、ＴＯＣ情報により示されるディスク最内周からの再生開始時刻に対応する位置を特定でき、これにより所望の位置にアクセスできる。本明細書では、「時刻」とは、ディスクの最内周から、または、基準点から再生を開始したときの再生開始時刻をいうものとする。なお、サブコード情報は、時刻のみならず、曲の番号、インデックス、時間、文字等の付加情報を含んでいてもよい。本明細書では特に、時刻を特定可能なサブコード情報を利用する。
【００３４】
ディスク再生装置１００は、再生部２と、最内周位置検出部３と、制御部４と、信号処理部５と、サブコード検出部６と、ＴＯＣ情報記憶部７と、第１セッション判定部８と、第１セッションアクセスリトライ部９と、ＤＡ変換部１０と、オーディオ信号増幅部１１と、スピーカ１２とを備えている。
【００３５】
以下、ディスク再生装置１００の各構成要素を説明する。再生部２は、再生の対象となるディスク１を装着し、装着されたディスク１のデータを再生するピックアップなどの機構部を備える。本実施の形態では、再生部２は、図２に示す機構（廉価メカニズム）により実現される。廉価メカニズムでは、光ピックアップトラバース２２がディスク１のほぼ最内周部分に位置している場合にだけＯＮとなる安価な位置検出用のプッシュスイッチ（最内周位置検出スイッチ２０）を採用する。最内周位置検出スイッチ２０は、最内周位置検出部３（図１）として制御部４（図１）に接続される。また廉価メカニズムでは、高価なリニアモーターに代えて、安価な模型に使われるものと同型式の速度制御メカニズム無しのブラシ付きＤＣモーターをトラバースモーター２４として採用する。
【００３６】
ディスク１はターンテーブル２１に載置され、図２の（ｃ）に示すスピンドルモーター２５で駆動される。光ピックアップ２３は光ピックアップトラバース２２に内蔵されている。すなわち、光ピックアップトラバース２２を移動させると、光ピックアップ２３も移動することになる。トラバースモーター２４が回転するとトラバース送りギアシャフト２６が回転し、光ピックアップトラバース２２が、スライドシャフト２７にガイドされて、がたつきがほとんどない状態で移動する。
【００３７】
以上のような基本動作により、再生部２（図１）は、装着されたディスク１のデータを再生した再生信号を生成する。なお、ここでいう「再生」とは、ユーザが視聴可能な状態にデータを再構成することをいうのではなく、ディスク１のピット情報等に基づいて、ディスク１に記録されたデータを取り出すことをいう。最内周位置検出部３は、ディスク１の最内周位置を検出し、その検出結果を制御部４に送る。
【００３８】
信号処理部５は、再生部２からの再生信号をデジタルの再生データ信号として復調する。再生データ信号が音楽のデータ信号である場合には、ＤＡ変換部１０は、再生部２からのデジタル再生信号をアナログ音楽信号に復元する。オーディオ信号増幅部１１は、ＤＡ変換部１０が変換したアナログ音楽信号を十分に大きな電気信号に増幅し、スピーカ１２から出力する。再生データ信号が音楽のデータ信号以外の場合には、その信号に基づいて映像等を表示し、またはコンピュータで利用可能なデータとしてコンピュータのメモリ等へ送られる。
【００３９】
制御部４は、ディスク再生装置１００の全般的な動作を行う。アクセス時の動作を説明すると、制御部４は、信号処理部５からＴＯＣ情報を読み出し、ＴＯＣ情報記憶部７（いわゆるランダムアクセスメモリ（ＲＡＭ））に記憶する。そして制御部４は、記憶したＴＯＣ情報を用いて、再生すべきトラックの時刻を示す時刻情報を取り出す。時刻情報が示す時刻のデータにアクセスするには、ディスク１に記録されたサブコード情報が利用される。具体的には、制御部４は、現在の光ピックアップ２３（図２の（ａ））の位置におけるサブコード情報を読み取り、サブコード情報が示す時刻ｔａと、時刻情報が示す時刻ｔｂとを比較する。時刻ｔａ＜時刻ｔｂであれば、制御部４は、光ピックアップ２３をより外周側へ移動させる。時刻ｔａ＞時刻ｔｂであれば、制御部４は、光ピックアップ２３をより内周側へ移動させる。この動作を繰り返して、時刻ｔａ＝時刻ｔｂとなれば、その位置が、再生の開始位置となる。そして制御部４は、その位置のデータを読み出す。これらの動作は、制御部４が有するプログラムの処理に基づいて行われる。制御部４の動作は、いわゆるマイクロコンピュータを使用して実現される。
【００４０】
第１セッション判定部８は、アクセス動作によって到達したリードイン領域が、ディスクの最初のセッション（第１セッション）のリードイン領域であるか否かを判定する。具体的には、アクセス動作によって到達したリードイン領域のＴＯＣ情報により示された、そのセッションで最初のプログラムトラックの再生開始の時刻が所定の値以内か否かにより、当該リードイン領域が、ディスクの最初のセッション（第１セッション）のリードイン領域であるか否かを判定する。「所定の値」とは、本明細書では１分である。第１セッション判定部８は、当該領域が第１セッションのリードイン領域でないと判定した場合、第１セッションアクセスリトライ部９は、再度光ピックアップをディスクの最内周位置に移動する。そして、その後の外周方向への光ピックアップの移動時間を最初のアクセス動作での移動時間よりも短い時間に変更して、第１セッションを目標として再び光ピックアップを移動させ、アクセス動作を行わせる。一方、第１セッション判定部８が当該領域が第１セッションのリードイン領域であると判定した場合には、制御部４は、光ピックアップに、当該領域へのアクセスを継続させデータの読み出しを行わせる。
【００４１】
次に、ディスク再生装置１００（図１）の動作を説明する。ディスク再生装置１００（図１）は、図３に記載されたデータレイアウトを有するディスク（例えば、ＣＤ−ＥＸＴＲＡ）を再生する。図３は、マルチセッションで記録したディスクのデータレイアウトを示す。この例では第１セッションに２０秒の短いＣＤ−ＤＡデータの曲が記録され、第２セッションにＣＤ−ＲＯＭデータが記録されているとする。図から明らかなように、リードイン領域１（ＬＩＮ１）には、トラック１のＣＤ−ＤＡデータに関するＴＯＣ情報１が記録され、リードイン領域２（ＬＩＮ２）には、トラック２のＣＤ−ＲＯＭデータに関するＴＯＣ情報２が記録されている。
【００４２】
図４および図５は、ディスク再生装置１００（図１）の動作を示すフローチャートである。図４を参照して、ディスク１を装着すると、最初のデータ初期化動作としてＬＩアクセスリトライフラグを０にクリアする（ステップ２０）。ＬＩアクセスリトライフラグについては後述する。
【００４３】
ディスク１を装着した際、図２に示す廉価メカニズムでは、光ピックアップ２３の位置を常時認識できない。そこで、まず制御部４（図１）は、廉価メカニズムのトラバースモーター２４を駆動して、光ピックアップトラバース２２を内周方向に移動させる（ステップ２２）。これによりディスク１のほぼ最内周に光ピックアップトラバース２２（図２）を位置させることができる。光ピックアップ２３（図２）がディスクのほぼ最内周に位置すると、最内周位置検出スイッチ２０がＯＮとなり、それが検出される（ステップ２３）。すると制御部４（図６）は、トラバースモーター２４を停止させ（ステップ２４）、ＬＩアクセスリトライフラグが１か否かを判断する（ステップ２５）。最初の動作時にはＬＩアクセスリトライフラグは０である。よって、トラバースモーター６４の駆動時間を決めるタイマーを２４０ｍＳに設定する（ステップ２６）。ステップ２１の場合は後述する。
【００４４】
続いて図５を参照して、次は逆方向（外周方向）にトラバースモーター２４を駆動する（ステップ２７）。そしてトラバースモーター２４の駆動時間を決めるタイマーの時間長Ｔ（本実施の形態ではＴ＝２４０ｍＳ）が経過したか否かを判定し（ステップ２８）、経過していなければそのままトラバースモーター２４の駆動を続ける。経過した場合にはトラバースモーター２４を停止させる（ステップ２９）。これにより光ピックアップ２３を少なくともディスク１のリードインＬＩＮの開始位置よりも外周側位置に移動させることができる。ディスク再生装置１００（図１）では、Ｔ＝２４０ｍＳに設定すると、常温にてリードインＬＩＮ１の終了点から、サブコード情報の示す時刻が約３分を示す位置に移動する。当該位置に光ピックアップ２３を移動した後は、次にＴＯＣ情報を読み込むためにリードインＬＩＮにアクセスしなければならない。そこで再びサブコード情報を読み込んで（ステップ３０）、現在の位置がリードイン領域内か否かを判定する（ステップ３１）。
【００４５】
図３に示すように、このディスクの第１セッションには２０秒の短いＣＤ−ＤＡデータの曲が記録され、第２セッションにはＣＤ−ＲＯＭデータが記録されている。よって、サブコード情報が約３分を示す位置には第２セッションのリードイン領域２（ＬＩＮ２）が存在することになる。現在、光ピックアップ２３は第２セッションのリードイン領域２（ＬＩＮ２）に位置しているので、第２セッションのリードイン領域２（ＬＩＮ２）のＴＯＣ情報（ＴＯＣ２）を読み込みを開始し（ステップ３３）、読み込みを完了する（ステップ３４）。つまり、ステップ３２での内周方向に３２本キック動作を実行することはない。
【００４６】
制御部４（図１）は、読み込んだＴＯＣ情報（ＴＯＣ２）の中からそのセッションのＳＴＡＲＴ  ＴＮＯ（当該セッションの最初のプログラムトラック番号）を検出し、最初のトラックの開始位置を検出する（ステップ３５）。検出の結果、制御部４（図１）は、トラックの開始時刻が、ディスクの最初の再生から１分以内か否かを判断する（ステップ３６）。１分以内であれば、読み込んだＴＯＣ情報は、第１セッションのリードインの情報であると判定する（ステップ３６）。この例の場合には、アクセスしたセッションは第２セッションであり、そのリードイン領域２（ＬＩＮ２）に対しては２分５４秒という値が得られた結果、開始時刻が１分以内でないと判定する（ステップ３６）。すなわち第１セッションではないと判定する。「１分以内」としたのは、マルチセッションディスクのフォーマットによれば、第２セッションは、時刻が約１分の位置には存在しないからである。その後は、ＬＩアクセスリトライフラグに１をセットして（ステップ３７）、ステップ２２（図４）に戻る。
【００４７】
再び図４を参照して、制御部４（図１）はトラバースモーター２４を駆動して光ピックアップトラバース２２を内周方向に移動させ（ステップ２２）、ディスク１のほぼ最内周に光ピックアップトラバース２２を位置させる。そしてディスクのほぼ最内周に光ピックアップが位置すると最内周位置検出スイッチ６０がＯＮとなる。そこで、位置検出スイッチ２０がＯＮであることを検出すると（ステップ２３）、トラバースモーター２４を停止させ（ステップ２４）、ＬＩアクセスリトライフラグが１か否かを判断する（ステップ２５）。
【００４８】
現在、ＬＩアクセスリトライフラグは１であるから、トラバースモーター２４の駆動時間を決めるタイマーを１８０ｍＳに設定する（ステップ２１）。再び図５を参照して、次は逆方向（外周方向）にトラバースモーター２４を駆動する（ステップ２７）。そしてトラバースモーター２４の駆動時間を決めるタイマーの時間長Ｔ（この場合は１８０ｍＳ）が経過したか否かを判定し（ステップ２８）、経過していなければそのままトラバースモーター２４の駆動を続ける。経過した場合にはトラバースモーター２４を停止させる（ステップ２９）。これにより光ピックアップ２３を少なくともセッション１のリードイン領域１（ＬＩＮ１）の開始位置よりも外周側に移動させる。
【００４９】
本実施の形態では、トラバースモーター２４を１８０ｍＳだけ駆動すると、サブコードが約１分前に相当する位置に光ピックアップ２３が移動するとする。光ピックアップ２３の移動により、光ピックアップ２３は、ディスク１の第２セッションのリードイン領域２（ＬＩＮ２）よりも前（内周側）のセッション内に位置しているので、内周方向に３２本キック動作を実行して（ステップ３２）、第１セッションのリードイン領域１（ＬＩＮ１）にアクセスしてＴＯＣ情報１の読み込みを完了する。
【００５０】
制御部４（図１）は、読み込んだＴＯＣ情報（ＴＯＣ１）の中からそのセッションのＳＴＡＲＴ  ＴＮＯを検出し、そのＴＮＯの開始絶対アドレス値に相当する開始時刻を検出する（ステップ３５）。検出の結果、制御部４（図１）は、トラックの再生開始時刻が、ディスクの最初の再生から１分以内か否かを判断する（ステップ３６）。１分以内であれば、読み込んだＴＯＣ情報は、第１セッションのリードインの情報であると判定する（ステップ３６）。この例の場合には、実際アクセスしたセッションは第１セッションのリードイン領域のＴＯＣ情報（ＴＯＣ１）であり、その最初のトラック（ＴＮＯ１）の開始時刻に対しては０分２秒という値が得られた結果、開始時刻が１分以内であると判定する（ステップ３６）。すなわち正確に第１セッションであると判定することができる。そして、表示装置（図示せず）には、ＴＯＣ情報１の一部である第１セッションの情報（総曲数１、総再生時間２０秒）が表示される。
【００５１】
ユーザーがPLAYキー（図示せず）を押す等の再生操作を行うと、ディスク再生装置６０は、記憶しているＴＯＣ情報１を参照して、指定された曲の開始時刻を調べてその時刻に対応する位置に正しくアクセスして再生を開始する動作を行う。
【００５２】
なお、上述の説明のステップ３６では、リードインの中の情報を元にそのセッションのＳＴＡＲＴ  ＴＮＯを検出し、そのＴＮＯの開始時刻がディスクの再生開始から１分以下の位置を示すか否かにより、第１セッションのリードインであるか否かを判別するとした。しかしこの値は３秒以上で２分３５秒未満の値であれば、任意の値でよい。
【００５３】
また、本発明では、第１セッションのリードイン領域であるか否かを判別する第１セッション判定部８を設けた。しかし、リードインの中の情報を元にそのセッションのＳＴＡＲＴ  ＴＮＯを検出し、そのＴＮＯの開始時刻がある値以上（例えば４秒以上）であれば第２セッション以降のリードインの情報であると判定して、第１セッションのリードインにアクセスをリトライするようにしてもよい。
【００５４】
また、本明細書では、第１セッションのリードインへリトライするためのトラバースモーターの駆動時間を、２４０ｍＳおよび１８０ｍＳの２回のみで説明した。しかし、これらの値はメカニズムに応じて任意に選ぶことができ、リトライの回数も任意の値に設定することができる。例えば、反復してリトライする場合、２４０ｍＳ、１８０ｍＳ、１５０ｍＳ、１２０ｍＳ等のように、駆動時間を徐々に少なくすれば、光ピックアップの移動量も徐々に少なくできる。
【００５５】
【発明の効果】
本発明によれば、ディスクのＴＯＣ情報の読み込みに際して、光ピックアップが第１セッションの収録データ部分を飛び越え、他のセッションのリードインに入り込んでしまっても、第１セッションのリードインであるか否かを判別して第１セッションのリードインにアクセスし直すことができる。よって、再生しようとするマルチセッションディスクの第１セッションの収録データが極めて小容量である場合でも、再生に必要なＴＯＣ情報を正しく読み込むことができる。
【００５６】
ＴＯＣ情報を正しく読み込むことができるので、安価な位置検出プッシュスイッチや速度制御メカニズム無しのブラシ付きＤＣモーターを使用したマルチセッションディスク使用時にもアクセスできないという問題が発生せず、低廉な再生装置を実現できる。
【図面の簡単な説明】
【図１】  本発明の実施の形態によるディスク再生装置のブロック図である。
【図２】  廉価メカニズムの構造を示す図である。
【図３】  マルチセッションで記録したディスクのレイアウトを示す。
【図４】  ディスク再生装置の動作を示すフローチャートである。
【図５】  ディスク再生装置の動作を示すフローチャートである。
【図６】  音楽用ＣＤ−ＤＡディスクを再生する従来のディスク再生装置のブロック図である。
【図７】  シングルセッションで記録したディスクのデータレイアウトを示す。
【図８】  従来のディスク再生装置用の高級メカニズムの構造を示す。
【図９】  ディスク再生装置の動作を示すフローチャートである。
【図１０】  ディスク再生装置の動作を示すフローチャートである。
【符号の説明】
１  ディスク
２  再生部
３  最内周位置検出部
４  制御部
５  信号処理部
６  サブコード検出部
７  ＴＯＣ情報記憶部
８  第１セッション判定部
９  第１セッションアクセスリトライ部
１０  ＤＡ変換部
１１  オーディオ信号増幅部
１２  スピーカ
【図１】
0004226233.tif 000002
【図２】
0004226233.tif 000003
【図３】
0004226233.tif 000004
【図４】
0004226233.tif 000005
【図５】
0004226233.tif 000006
【図６】
0004226233.tif 000007
【図７】
0004226233.tif 000008
【図８】
0004226233.tif 000009
【図９】
0004226233.tif 000010
【図１０】
0004226233.tif 000011